(57)【要約】【課題】透過光の色分散、立体視などの技術により、きらきら輝いてシンフォニー効果を有する立体視効果を発生させる照明装置を提供する。【解決手段】照明装置は、１組の発光ダイオード２４、構造体及びホログラムシール３０を備える。ホログラムシール３０は、構造体に固着されてリング状に囲まれ、反射面３４を外表面に有する。通電すると、発光ダイオード２４が入射光２６を発生させ、反射面３４に放射されて反射光２８が形成される。入射光２６は無色であり、反射光２８は有色である。反射面３４は空白又は無地である。構造体は、突出部１６である。突出部１６上には、ホログラムシール３０が接着される。突出部１６の外表面には、反射面３４が形成される。突出部１６は、ランプホルダ１２上に設けられる。ランプホルダ１２には、発光ダイオード２４が配設される。発光ダイオード２４は、突出部１６の周りを取り囲むように配置される。【選択図】図５
0003221902.tif 000002
【実用新案登録請求の範囲】
【請求項１】
１組の発光ダイオード（２４）、構造体及びホログラムシール（３０）を備えた照明装置であって、
前記ホログラムシール（３０）は、前記構造体に固着されてリング状に囲まれ、反射面（３４）を外表面に有し、
通電すると、前記発光ダイオード（２４）が入射光（２６）を発生させ、前記反射面（３４）に放射されて反射光（２８）が形成され、
前記入射光（２６）は無色であり、前記反射光（２８）は有色であることを特徴とする照明装置。
【請求項２】
前記反射面（３４）は空白又は無地であることを特徴とする請求項１に記載の照明装置。
【請求項３】
前記構造体は、突出部（１６）であり、
前記突出部（１６）上には、前記ホログラムシール（３０）が接着され、
前記突出部（１６）の外表面には、前記反射面（３４）が形成されることを特徴とする請求項１に記載の照明装置。
【請求項４】
前記突出部（１６）は、ランプホルダ（１２）上に設けられ、
前記ランプホルダ（１２）には、前記発光ダイオード（２４）が配設され、
前記発光ダイオード（２４）は、前記突出部（１６）の周りを取り囲むように配置されることを特徴とする請求項３に記載の照明装置。
【請求項５】
前記突出部（１６）は、上ランプホルダ（１２Ａ）と下ランプホルダ（１２Ｂ）との間に接続され、
前記上ランプホルダ（１２Ａ）及び前記下ランプホルダ（１２Ｂ）の一方又は両方には、前記発光ダイオード（２４）が配設され、
前記発光ダイオード（２４）は、前記突出部（１６）の周りを取り囲むように配置されることを特徴とする請求項３に記載の照明装置。
【請求項６】
前記突出部（１６）は、中空状又は管状であることを特徴とする請求項３に記載の照明装置。
【請求項７】
前記突出部（１６）の開口は、底板（１７）により閉止されることを特徴とする請求項６に記載の照明装置。
【請求項８】
前記構造体は、管状で透光性の突出部（１６）を有し、
前記ホログラムシール（３０）は、前記突出部（１６）上に接着され、
前記反射面（３４）は、前記突出部（１６）の外表面に設けられ、
前記突出部（１６）の外周は、透明カバー（１１）により覆われることを特徴とする請求項１に記載の照明装置。
【請求項９】
前記透明カバー（１１）は、上ランプホルダ（４０）と下ランプホルダ（５０）との間に接続され、
前記発光ダイオード（２４）が前記上ランプホルダ（４０）又は前記下ランプホルダ（５０）に配設され、前記突出部（１６）により内周及び外周に画成されることを特徴とする請求項８に記載の照明装置。
【請求項１０】
下ランプホルダ（５０）は、人形（６０又は６２）を有し、
前記人形（６０又は６２）は、前記突出部（１６）の内側又は外側に位置することを特徴とする請求項８に記載の照明装置。
【考案の詳細な説明】
【技術分野】
【０００１】
本考案は、照明装置に関し、特に、透過光の色分散、立体視などの技術により、きらきら輝いてシンフォニー効果を有する立体視効果を発生させる照明装置に関する。
【背景技術】
【０００２】
従来の照明装置には、蛍光灯、デスクライト、ダウンライト、シーリングライト、シャンデリア、ブラケットライトなど様々な種類がある。上述した照明装置は、ランプホルダを一般に有し、ランプホルダには、電線及び少なくとも１つの光源が配設されている。電線は必要な電力を供給する。光源は、通電されると発光し、現場を光で照らすか、雰囲気を高める。
【０００３】
上述した光は白色系（昼光色系とも称する）であり、本を読んだり、文字を書いたり、はっきり見たりすることができるように現場を明るくすることができる。単一の着色光（例えば、赤、橙、黄、緑、青、藍、紫などの色系）を有するため、パーティー、コンサートその他人が多く集まる場所の雰囲気をより興奮した賑やかなものにする。
【０００４】
白光がプリズムに入射して屈折すると多数の着色光を発生させるが、白光は、他の着色光に自動的に変換されることはない。同様に、多数の着色光は、他の光学装置を介して１つの白光に混成させることができるが、これらの着色光は、白光に自動的に変換されて出射されることはない。言い換えると、光源の色系は自動的に変化することはない。
【０００５】
特許文献１で開示されているランプは、台座にぬいぐるみが固定され、ぬいぐるみの背部には、折り畳み装置が取り付けられる。この折り畳み装置には、ランプ体が結合される。通電されると、ランプ体が発光してぬいぐるみに光が入射するが、ぬいぐるみは光の照明によっても視覚の変化は発生しない。特に、ぬいぐるみは光の照明により、動的に見えることはない。
【０００６】
そのため、動的に見えるか、色系を変化させることができるように構造が改善された照明装置の技術が求められていた。
【先行技術文献】
【特許文献】
【０００７】
【特許文献１】台湾特許出願公開第２０１０３８８７７号公報
【考案の概要】
【考案が解決しようとする課題】
【０００８】
こうした現状に鑑み、本考案者は鋭意研究を重ねた結果、上述した従来技術の問題点を改善し、透過光の分散、立体視などの技術を利用し、きらきら輝いてシンフォニー効果を有する立体視効果を発生させる、本考案を完成させたものである。
【０００９】
本考案の目的は、人形又は他の装飾物を増設し、屈折、反射などの光学特性により、視野角の違いに応じて人形が様々な着色光で覆われ、動的又は変化に富んだ視覚効果を得て、従来のランプのような単調な見た目と異なる上、娯楽性が高く、周りの環境の雰囲気を調整することもできる、照明装置を提供することにある。
【課題を解決するための手段】
【００１０】
上記課題を解決するために、本考案の第１の形態によれば、１組の発光ダイオード（２４）、構造体及びホログラムシール（３０）を備えた照明装置であって、前記ホログラムシール（３０）は、前記構造体に固着されてリング状に囲まれ、反射面（３４）を外表面に有し、通電すると、前記発光ダイオード（２４）が入射光（２６）を発生させ、前記反射面（３４）に放射されて反射光（２８）が形成され、前記入射光（２６）は無色であり、前記反射光（２８）は有色であることを特徴とする照明装置が提供される。
【００１１】
前記反射面（３４）は空白又は無地であることが好ましい。
【００１２】
前記構造体は、突出部（１６）であり、前記突出部（１６）上には、前記ホログラムシール（３０）が接着され、前記突出部（１６）の外表面には、前記反射面（３４）が形成されることが好ましい。
【００１３】
前記突出部（１６）は、ランプホルダ（１２）上に設けられ、前記ランプホルダ（１２）には、前記発光ダイオード（２４）が配設され、前記発光ダイオード（２４）は、前記突出部（１６）の周りを取り囲むように配置されることが好ましい。
【００１４】
前記突出部（１６）は、上ランプホルダ（１２Ａ）と下ランプホルダ（１２Ｂ）との間に接続され、前記上ランプホルダ（１２Ａ）及び前記下ランプホルダ（１２Ｂ）の一方又は両方には、前記発光ダイオード（２４）が配設され、前記発光ダイオード（２４）は、前記突出部（１６）の周りを取り囲むように配置されることが好ましい。
【００１５】
前記突出部（１６）は、中空状又は管状であることが好ましい。
【００１６】
前記突出部（１６）の開口は、底板（１７）により閉止されることが好ましい。
【００１７】
前記構造体は、管状で透光性の突出部（１６）を有し、前記ホログラムシール（３０）は、前記突出部（１６）上に接着され、前記反射面（３４）は、前記突出部（１６）の外表面に設けられ、前記突出部（１６）の外周は、透明カバー（１１）により覆われることが好ましい。
【００１８】
前記透明カバー（１１）は、上ランプホルダ（４０）と下ランプホルダ（５０）との間に接続され、前記発光ダイオード（２４）が前記上ランプホルダ（４０）又は前記下ランプホルダ（５０）に配設され、前記突出部（１６）により内周及び外周に画成されることが好ましい。
【００１９】
下ランプホルダ（５０）は、人形（６０又は６２）を有し、前記人形（６０又は６２）は、前記突出部（１６）の内側又は外側に位置することが好ましい。
【考案の効果】
【００２０】
本考案の照明装置は、以下（１）及び（２）の効果を有する。
（１）ホログラム技術により製作した反射面を利用し、無色の入射光（白光とも称する）を有色の反射光に変換し、きらきら輝いてシンフォニー効果を有する立体視効果を発生させて綺麗に見せ、例えば、デスクライト、シャンデリア、ブラケットライト、テーブルランプ、アートライト、アートやデザインなどを鑑賞するためのライト、広告用の設備などに適用できる。
【００２１】
（２）突出部の内部又は外部に人形を増設して装飾として用い、屈折、反射などの光学作用下、視野角の変化に応じて人形が異なる色光で包まれるため、娯楽性が高く、周りの環境の雰囲気を調整することができる。
【図面の簡単な説明】
【００２２】
【図１】本考案の第１実施形態に係る照明装置を示す斜視図である。
【図２】図１の照明装置の光源の位置を変えた状態を示す斜視図である。
【図３】図１の照明装置の光源の位置を変えた状態を示す斜視図である。
【図４】本考案の第２実施形態に係る照明装置を示す分解斜視図である。
【図５】図４の照明装置の使用状態の説明図である。
【図６】本考案の第３実施形態に係る照明装置を示す斜視図である。
【図７】本考案の第４実施形態に係る照明装置を示す斜視図である。
【図８】本考案の第５実施形態に係る照明装置を示す斜視図である。
【図９】本考案の第６実施形態に係る照明装置を示す斜視図である。
【図１０】図９の上ランプホルダの詳細な構造を示す説明図である。
【図１１】図１０の上ランプホルダを示す上面図である。
【図１２】図９の下ランプホルダを示す上面図である。
【考案を実施するための形態】
【００２３】
（第１実施形態）
図１を参照する。図１に示すように、本考案の第１実施形態に係る照明装置１０の透明カバー１１中には、光源２０及びホログラムシール３０が配設される。
【００２４】
図１の透明カバー１１の形状は、円形であるが、ホログラムシール３０を保護することができる限り、例えば、矩形、六角形又は多角形などの非円形でもよい。
【００２５】
ホログラムシール３０は、付着面３２及び反射面３４を含む。反射面３４は、正面に位置し、付着面３２は、背面に位置する。付着面３２は、接着剤により構造体に強固に固着される。ホログラムシール３０は、構造体の外形輪郭に合致するようにリング状に囲まれる。反射面３４は、外面に位置し、構造体の外部表面として用いる。構造体は、透明カバー１１の内部に位置するが、その具体的な構造については、以下の実施形態において詳しく説明する。
【００２６】
ここで光源２０とは、１つ又は２つ以上のＬＥＤプロジェクト型ランプを指す。第１実施形態のＬＥＤプロジェクタ型ランプは、電気的に接続されたＬＥＤ（Ｌｉｇｈｔ  Ｅｍｉｔｔｉｎｇ  Ｄｉｏｄｅ）ランプホルダ２２と発光ダイオード２４との組み合わせにより構成される。上述したＬＥＤランプホルダ２２には、１本の電線１４が電気的に接続されている。他の実施形態において、ＬＥＤプロジェクト型ランプは円形状又は長尺状である。
【００２７】
図１に示すように、光源２０は、透明カバー１１とホログラムシール３０との間に位置し、発光ダイオード（即ちＬＥＤ）２４はホログラムシール３０の下方に設けられるが、勿論、光源２０は、図２に示すようにホログラムシール３０の上方に位置してもよいし、図３に示すように、ホログラムシール３０の反射面３４に向けられてもよく、発光ダイオード（即ちＬＥＤ）が反射面３４に対して光を拡散又は照射している前提下において、それらも本考案の範囲に含まれる。
【００２８】
図１に示すように、照明装置１０に通電されると、光源２０の発光ダイオード（即ちＬＥＤ）２４には、少なくとも１つの入射光２６が発生し、入射光２６がホログラムシール３０の反射面３４に拡散され、少なくとも１つの反射光２８が形成される。上述した反射光２８は、透明カバー１１を介して照明装置１０の外部へ屈折される。
【００２９】
入射光２６は、無色であり、白色系又は昼光色系の光線とも称する。上述した反射光２８は、赤、橙、黄、緑、青、藍、紫などの着色光の一つでもよく、反射する角度に応じて反射光２８の色系光線が変化する。このように、これらの反射光２８は、きらきらと輝いた光を作り出すことができる。照明装置１０の見る角度を僅かに変えるだけで、幻想的に見えたりきらきら輝いて見えたりする立体視効果が得られる。
【００３０】
（第２実施形態）
図４及び図５を参照する。図４及び図５に示すように、本考案の第２実施形態に係る照明装置１０は、第１実施形態と略同じであるが、以下（１）〜（５）の点で異なる。
【００３１】
（１）照明装置１０は、円状のシャンデリア（ｃｈａｎｄｅｌｉｅｒ）であるが、透明カバーを備えていない。
（２）照明装置１０は、ランプホルダ１２を有し、ランプホルダ１２には、必要な電線１４が取り付けられている。
（３）上述した構造体は突出部１６である。図４及び図５に示すように、突出部１６は、中空状又は管状の円柱１８である。円柱１８は、ランプホルダ１２の底部から一定の長さで延びる。他の実施形態において、突出部１６は多角形体であるが、ホログラムシール３０の接着効果には影響を与えない。
（４）ホログラムシール３０の付着面３２は、突出部１６の外表面に接着されて外れ難くなっており、反射面３４がリング状に囲まれるようにし、突出部１６の外側円周面として用いられる。
（５）ランプホルダ１２に周設された突出部１６の周囲には、複数の光源２０が設けられる。各光源２０が固定されると、ちょうど突出部１６の上方に位置する。
【００３２】
（第３実施形態）
図６を参照する。図６に示すように、本考案の第３実施形態に係る照明装置の構造は、第２実施形態と略同じであるが、以下（１）及び（２）の点で異なっている。
【００３３】
（１）中空状の円柱１８（図５を参照する）の開口端を閉止する底板１７をさらに備える。
（２）ランプホルダ１２は円錐体である。
【００３４】
通電すると、照明装置１０には、例えば、アタッチメントに示すようにサンプルＡの放射式立体光柱が発生する。視野又は見る角度に応じ、光柱に変化が大きなきらきら輝いてシンフォニー効果を有する立体視効果を発生させることができる。
【００３５】
（第４実施形態）
図７を参照する。図７に示すように、本考案の第４実施形態に係る照明装置は、第３実施形態と略同じであるが、以下（１）〜（４）の点で異なる。
【００３６】
（１）前述した円錐状ランプホルダを上ランプホルダ１２Ａとして使用する。しかし、上ランプホルダ１２Ａは電線を備えない。
（２）下ランプホルダ１２Ｂをさらに備える。下ランプホルダ１２Ｂには、必要な電線１４が配設される。下ランプホルダ１２Ｂは、円錐状であり、上ランプホルダ１２Ａとともに突出部１６の両端にそれぞれ結合される。
（３）下ランプホルダ１２Ｂの１組の光源２０をさらに備える。下ランプホルダ１２Ｂの光源２０及び上ランプホルダ１２Ａの光源２０は、突出部１６の外周に周設され、反射面３４に白色系の入射光を発する。反射面３４は、白光に色分散作用を発生させ、多色の反射光を外界へ発生させ、放射状の立体光柱が発生する。
（４）ガラス又はアクリルで製作した透明カバー１１をさらに備える。上述した透明カバー１１は、上下２つのランプホルダ１２Ａ，１２Ｂ間に位置し、突出部１６の円環片を囲むが、きらきら輝く効果を鑑賞することは妨げず、照明装置１０の内部を保護し、外力により破壊されることを防ぐ。
【００３７】
通電すると、照明装置１０は、アタッチメントが示すサンプルＢの放射式立体光柱を発生させ、同様に、視野又は見る角度に応じ、変化が大きくきらきら輝いてシンフォニー効果を有する立体視効果が得られる。
【００３８】
（第５実施形態）
図８を参照する。図８を参照する。図８に示すように、本考案の第５実施形態に係る照明装置１０は、第４実施形態と略同じであるが、以下（１）及び（２）の点で異なる。
【００３９】
（１）支持杆１３を介して下ランプホルダ１２Ｂの下方に接続された台座１５をさらに備える。支持杆１３は、中空状のねじであることが好ましい。
（２）下ランプホルダ１２Ｂには、電線１４が直接取り付けられておらず、電線１４は、上ランプホルダ１２Ａに取り付けられている。
【００４０】
（第６実施形態）
図９〜図１２を参照する。図９〜図１２に示すように、本考案の第６実施形態に係る照明装置１０は、第４実施形態と略同じであるが、以下（１）〜（５）の点で異なる。
【００４１】
（１）上ランプホルダ４０には、未確認飛行物体を模した筐体が用いられる。筐体には、締結具４５を介して基板４２に強固に固着され、上ランプホルダ４０により基板４２が外力を受けて破壊されることから防ぐ。基板４２は、線路４４を介して複数の光源と電気的に接続される。これらの光源は、位置又は用途に応じて１組の発光ダイオード（即ちＬＥＤ）２４と１組のサイドランプ４３とに区分される。これら発光ダイオード２４は、基板４２に固定される上、筐体の下ランプホルダ５０に面した部位が露出される。これらサイドランプ４３は、基板４２の周りに固定され、各サイドランプ４３は、筐体（即ち上ランプホルダ４０）に強固に固着されたサイドランプ片４１に対向する。サイドランプ片４１は、光を透過させるか出射させる。
【００４２】
（２）透明カバーを備えないため、ホログラムシール３０に付着された突出部１６の反射効果に影響を与えない。同時に、突出部１６は、１組の発光ダイオード２４を内外の２周に画成する。言い換えると、一部の発光ダイオード２４は、突出部１６中に集中し、残部の発光ダイオード２４は、透明な突出部１６の外周に設けられる。
【００４３】
（３）ホログラムシール３０の付着面３２は、突出部１６の外表面に接着され、反射面３４が円環状に囲まれるようにし、突出部１６が半透明状態となり、光が付着面３２から反射面３４へ向かって出射される。反射面３４は、空白又は無地面（即ち、如何なる文字、数字、図形、符号、注記も含まない）である。
【００４４】
（４）下ランプホルダ５０には、光源が無いが、スイッチ５６が配設されている。上述したスイッチ５６には、下ランプホルダ５０に設けられたプラットフォーム５２が隣り合い、電線１４が供給する照明装置１０に必要な電力を決定することができる。電線１４は、外界のプラグ受け（図示せず）に接続されるプラグ５４を有する。
【００４５】
（５）下ランプホルダ５０のプラットフォーム５２に固定された２つの人形６０，６２である２つのアタッチメントをさらに備える。上述した人形６０は突出部１６中に位置し、もう一つの人形６２が突出部１６により離間される。
【００４６】
通電すると、外輪の発光ダイオード２４が突出部１６に対して白色系の外入射光２６Ａを発生させ、ホログラムシール３０の反射面３４を介し、着色した反射光２８を発生させる。同時に、内輪の発光ダイオード２４に、白色系の内入射光２６Ｂが発生し、透明な突出部１６及びホログラムシール３０を介して屈折光２１を発生させる。屈折光２１が白色又は有色であっても、前述した反射光２８中に混入され、照明装置１０の視覚効果を変えることができる。
【００４７】
特に、見る角度に応じて、突出部１６が、赤、橙、黄、緑、青、藍、紫などの着色光に変化して見えるため、娯楽性が高く、周りの環境の雰囲気を調整する機能を備える。
【符号の説明】
【００４８】
１０  照明装置
１１  透明カバー
１２  ランプホルダ
１２Ａ  上ランプホルダ
１２Ｂ  下ランプホルダ
１３  支持杆
１４  電線
１５  台座
１６  突出部
１７  底板
１８  円柱
２０  光源
２１  屈折光
２２  ＬＥＤランプホルダ
２４  発光ダイオード
２６  入射光
２６Ａ  外入射光
２６Ｂ  内入射光
２８  反射光
３０  ホログラムシール
３２  付着面
３４  反射面
４０  上ランプホルダ
４１  サイドランプ片
４２  基板
４３  サイドランプ
４４  線路
４５  締結具
５０  下ランプホルダ
５２  プラットフォーム
５４  プラグ
５６  スイッチ
６０  人形
６２  人形
【図１】
0003221902.tif 000003
【図２】
0003221902.tif 000004
【図３】
0003221902.tif 000005
【図４】
0003221902.tif 000006
【図５】
0003221902.tif 000007
【図６】
0003221902.tif 000008
【図７】
0003221902.tif 000009
【図８】
0003221902.tif 000010
【図９】
0003221902.tif 000011
【図１０】
0003221902.tif 000012
【図１１】
0003221902.tif 000013
【図１２】
0003221902.tif 000014
【手続補正書】
【提出日】平成31年4月23日(2019.4.23)
【手続補正１】
【補正対象書類名】実用新案登録請求の範囲
【補正対象項目名】請求項２
【補正方法】変更
【補正の内容】
【請求項２】
前記反射面（３４）は透明又は無地であることを特徴とする請求項１に記載の照明装置。
【手続補正２】
【補正対象書類名】明細書
【補正対象項目名】００１１
【補正方法】変更
【補正の内容】
【００１１】
前記反射面（３４）は透明又は無地であることが好ましい。
【手続補正３】
【補正対象書類名】明細書
【補正対象項目名】００４３
【補正方法】変更
【補正の内容】
【００４３】
（３）ホログラムシール３０の付着面３２は、突出部１６の外表面に接着され、反射面３４が円環状に囲まれるようにし、突出部１６が半透明状態となり、光が付着面３２から反射面３４へ向かって出射される。反射面３４は、透明又は無地面（即ち、如何なる文字、数字、図形、符号、注記も含まない）である。